(57)【特許請求の範囲】
【請求項１】
テンプル又は智の先端に形成された嵌合溝と、この嵌合溝に嵌め込まれる軸部材と、この軸部材に回転自在に取り付けられる智又はテンプルとを有する眼鏡のねじ無し蝶番において、
前記嵌合溝は、板状の前記テンプル又は智の一側面から他側面まで貫通して形成され、前記テンプル又は智の長手方向軸と同方向に延びるとともに、前記軸部材を嵌め込むための開口部が形成された平行部を有し、
前記平行部の上方又は下方の少なくとも一方には、凹状の係合部が形成され、
前記軸部材は、前記智又は前記テンプルの先端に形成された嵌合部が回転自在に嵌め付けられる胴部と、この胴部の上端及び下端に形成され、前記平行部をその両側面から挟み込むように係合することで前記胴部を前記嵌合溝内に固定する係合凹部と、この係合凹部と前記胴部との間に形成され、前記係合部と係合する被係合部とを有し、
前記係合部と前記被係合部とで、前記軸部材を前記平行部に嵌め込んだときに前記係合部と前記被係合部とが係合することで、前記軸部材が前記嵌合溝内で移動しないように規制する規制手段を構成すること、
を特徴とする眼鏡のねじ無し蝶番。
【請求項２】
前記嵌合溝は、前記平行部から傾斜して前記テンプル又は智の側縁に開口する傾斜部をさらに有することを特徴とする請求項１に記載の眼鏡のねじ無し蝶番。
【請求項３】
前記軸部材が、前記胴部に外嵌されるスリーブを有し、前記智又は前記テンプルに形成された環状の嵌合部を前記スリーブに外嵌し、このスリーブを前記胴部に外嵌することを特徴とする請求項１又は２に記載の眼鏡のねじ無し蝶番。
【発明の詳細な説明】
【技術分野】
【０００１】
本発明は、眼鏡フレームのねじ無し蝶番に関する。
【背景技術】
【０００２】
ねじ無し蝶番としては、例えば特許文献１に記載のものが知られている。この文献に記載のねじ無し蝶番は、一端がレンズまたはリムに設置される線状材料から形成された結合部材１１の他端に、Ｕ字状の湾曲部を形成するとともに、テンプル１３の一端に、周方向に溝が形成された嵌合部材１２を設け、前記結合部材１１のＵ字状の湾曲部が前記嵌合部材１２の周方向溝と少なくとも２箇所で接触するように、前記Ｕ字状の湾曲部間に前記嵌合部材を回動可能に嵌合させている。
【先行技術文献】
【特許文献】
【０００３】
【特許文献１】特開２００１−７５０５６号公報
【発明の開示】
【発明が解決しようとする課題】
【０００４】
しかし、この文献に記載のねじ無し丁番においては、周方向に溝が形成された嵌合部材１２を、線状の部材で形成された結合部材１１のＵ字状の湾曲部で少なくとも２箇所で接触するように挟み込み、テンプル１３の回動を行わせるようにしているので、その構造上挟持力が充分にとれず、テンプル１３が上下方向に振れ、掛け心地が悪いという問題があった。
また、この文献に記載のねじ無し蝶番では、テンプル１３に対して嵌合部材１２，２２が前後に移動しやすく、嵌合部材１２，２２に大きな力が加わると、嵌合部材１２，２２が容易にＵ字状の湾曲部から脱出してしまい、レンズ又はリムとテンプルとが外れてしまうという問題がある。そこでこの文献に記載のねじ無し蝶番では、嵌合部材１２，２２をテンプル１３に溶接することを推奨している（同文献の段落００１８の記載参照）。
【０００５】
本発明は上記の問題点に鑑みてなされたもので、簡単な構造でテンプルの上下方向の振れを効果的に抑制できて、テンプルの開閉を安定して行え、かつ、溶接などを行わなくてもレンズ又はリムからテンプルが容易に外れてしまうことのない眼鏡のねじ無し丁番を提供するところにある。
【課題を解決するための手段】
【０００６】
上記目的を達成するために本発明のねじ無し蝶番は、請求項１に記載するように、テンプル又は智の先端に形成された嵌合溝と、この嵌合溝に嵌め込まれる軸部材と、この軸部材に回転自在に取り付けられる智又はテンプルとを有する眼鏡のねじ無し蝶番において、前記嵌合溝は、板状の前記テンプル又は智の一側面から他側面まで貫通して形成され、前記テンプル又は智の長手方向軸と同方向に延びるとともに、前記軸部材を嵌め込むための開口部が形成された平行部を有し、前記平行部の上方又は下方の少なくとも一方には、凹状の係合部が形成され、前記軸部材は、前記智又は前記テンプルの先端に形成された嵌合部が回転自在に嵌め付けられる胴部と、この胴部の上端及び下端に形成され、前記平行部をその両側面から挟み込むように係合することで前記胴部を前記嵌合溝内に固定する係合凹部と、この係合凹部と前記胴部との間に形成され、前記係合部と係合する被係合部とを有し、前記係合部と前記被係合部とで、前記軸部材を前記平行部に嵌め込んだときに前記係合部と前記被係合部とが係合することで、前記軸部材が前記嵌合溝内で移動しないように規制する規制手段を構成する構成としてある。
上記構成によれば、板状のテンプルの先端に嵌合溝を形成し、この嵌合溝に軸部材を嵌合させているので、テンプルが容易に撓まず、テンプルの上下方向の振れを抑制することができる。また、前記軸部材を嵌合溝に嵌め込むだけで前記凹部と前記凸部とが係合することで、前記軸部材の移動を規制することができ、前記嵌合溝内での前記軸部材の移動を規制するので、テンプルががたつかず、テンプルの開閉を安定して行うことができる。
【０００８】
また、請求項２に記載するように、前記平行部から傾斜して前記テンプル又は智の側縁に開口する傾斜部を形成してもよい。このようにすることで、テンプルと智とをさらに分解されにくくすることができる。
さらに前記軸部材の構成としては、一体のものであってもよいが、智とテンプルとの連結を簡単かつ強固に行うことをでき、かつ、智とテンプルとの相対的な回転を滑らかに行うようにするために、例えば請求項３に記載するように、前記軸部材が、ピンと、このピンに外嵌されるスリーブとを有する構成とするとよい。このような構成の軸部材においては、前記智又は前記テンプルに形成された環状の嵌合部を前記スリーブに外嵌し、このスリーブを前記ピンに外嵌するようにすることで、簡単に軸部材と智又はテンプルとを連結することができ、かつ、その連結も強固なものとすることができる。
【発明を実施するための最良の形態】
【０００９】
本発明のねじ無し蝶番の好適な一実施形態を、図面を参照しながら詳細に説明する。
図１は、本発明のねじ無し蝶番の全体構成を説明する図で、ねじ無し蝶番の拡大図、図２は、本発明のねじ無し蝶番が適用されるテンプルの先端部分の拡大図、図３（ａ）は、本発明のねじ無し蝶番が適用される智の先端部分の拡大図、（ｂ）は、（ａ）のＩ−Ｉ方向断面図、図４は、本発明のねじ無し蝶番を構成するピンの説明図にかかり、（ａ）はその正面図、（ｂ）はその側面図、（ｃ）はその平面図、図５は、本発明のねじ無し蝶番を構成するスリーブの説明図にかかり、（ａ）はその正面図、（ｂ）はその平面図である。
【００１０】
図１に示すように、本発明のねじ無し蝶番１は、テンプル２と眼鏡のフロントフレーム（図示せず）に設けられた智４とを連結し、前記フロントフレームに対してテンプル２を折り畳み自在とするもので、図１に示すように、板状のテンプル２の前端に形成された嵌合溝２１と、この嵌合溝２１に嵌め込まれる軸部材１０と、この軸部材１０に回転自在に嵌装される智４とを有する。軸部材１０は、ピン１１とこのピン１１に外嵌されるスリーブ１２とを有している。
【００１１】
［テンプル２及び嵌合溝２１の構成］
テンプル２は、図２（ｂ）に示すように断面長方形状の板状に形成されている。縦方向を長辺とすることで、テンプル２の上下方向に大きな曲げ応力が作用しても、テンプル２の上下方向の曲げ歪みを小さくすることができる。
嵌合溝２１は、テンプル２の前端側（智４側）に形成され、中心線Ｃ１と平行に延びる平行部２２と、この平行部２２の後端から、中心線Ｃ１に対して傾斜角α（α＝４０°〜５０°が好ましい）で交叉する軸線Ｃ２に沿ってテンプル２の下端まで延びる傾斜部２３とを有している。傾斜部２３の先端は、テンプル２の下端で開放されていて、後述の軸部材１０を嵌合溝２１に嵌入するための開口部２３ａを形成している。
【００１２】
開口部２３ａの幅Ｈ２及び平行部２２の幅Ｈ１は、後述する軸部材１０の上下の底間距離Ｈ４（図４参照（ｂ））に一致させる。
傾斜部２３と平行部２２との境界部分及び開口部２３ａとテンプル２の下端との境界部分は、開口部２３ａに差し込んだ軸部材１０をスムースかつ一定力以上の押圧力（軸部材１０が通常の眼鏡使用時において容易に嵌合溝２１から脱出しない押圧力）で平行部２２に押し込めるように、図示するように滑らかな部分円弧状、湾曲状又は曲線状に形成するのが好ましい。
【００１３】
また、テンプル２における平行部２２の下側部分２ａは片持ち状になっているため、前記押圧力の付与により予め設定された量だけ弾性変形するようにすることで、傾斜部２３との協働により軸部材１０を嵌合溝２１に嵌め込み易くするとともに、軸部材１０の嵌合溝２１からの脱出を抑制することができる。
下側部分２ａの弾性変形量は、下側部分２ａの前後方向の長さや肉厚、幅などを調整することで、適宜に設定することができる。
【００１４】
［智４の構成］
図３に示すように智４の先端には、軸部材１０を嵌め込むための環状の嵌合部４１が形成されている。嵌合部４１の円環状の孔の内径Ｌ１は、後述の軸部材１０の外径を決定するスリーブ１２の本体部１２ａの外径Ｌ４（図５参照）と同一である。
なお、嵌合部４１は継ぎ目（割り）のないものを用いることが好ましいが、嵌合部４１の一部に切り込み（割り）を入れるなどして、軸部材１０に嵌合部４１を嵌め込みやすくしてもよい。
【００１５】
［ピン１１の構成］
図４に示すように、ピン１１は、円柱状の胴部１１ａと、この胴部１１ａの上面及び下面に対向して平行に立設された各々二つの突起１１ｂと、二つの突起１１ｂの間に形成された係合凹部１１ｃとを有している。係合凹部１１ｃの幅Ｓ２はテンプル２の前端部分の幅Ｓ１（図２（ｂ）参照）と同一に形成され、上下の係合凹部１１ｃの底部間の距離Ｈ４は、平行部２２の幅Ｈ１と同一に形成されている。このピン１１は、チタンやステンレスなどの金属で形成するのが好ましい。
【００１６】
［スリーブ１２の構成］
ピン１１の胴部１１ａに外嵌されるスリーブ１２は、図５に示すように、本体部１２ａと、この本体部１２ａの上下両端に突出形成されたフランジ部１２ｂとを有している。貫通孔１２ｃの内径Ｌ３は、ピン１１の胴部１１ａの外径Ｌ２と同一に形成されていて、本体部１２ａの貫通孔１２ｃに胴部１１ａを嵌め込むことができるようになっている。
凹状の形態をなす本体部１２ａの幅Ｈ５は、智４の嵌合部４１の幅Ｈ３（図１参照）と同一に形成されているとともに、本体部１２ａの外径Ｌ４は、智４の嵌合部４１の内径Ｌ１と同一に形成されていて、本体部１２ａに智４の嵌合部４１を嵌装することができるようになっている。
【００１７】
スリーブ１２は、智４の嵌合部４１を凹状の本体部１２ａに嵌め込む際に、嵌合部４１がフランジ部１２ｂを乗り越えることができるようにするために、
嵌め込む際の押圧力によって僅かに弾性変形するものであることが好ましい。
弾性変形できるようにするために、スリーブ１２の肉厚を調整するものとしてもよいが、スリーブ１２はこのような弾性変形の観点及びテンプル２の滑らかな回転のために、樹脂で形成するのが好ましい。
フランジ部１２ｂと本体部１２ａとの間の適切な段差は、スリーブ１２の材質や肉厚などの寸法によっても変わるが、智４の嵌合部４１を凹状の本体部１２ａに嵌め込むことができる寸法として、例えば０．２〜０．５ｍｍ程度を目安とすることができる。
スリーブ１２を樹脂で形成する場合は、エンジニアリングプラスチックが好ましく、潤滑性があって摩擦係数が低いポリアセタールコポリマー（例えば商品名：ジュラコン）を好適に用いることができる。
【００１８】
［規制手段］
平行部２２内で軸部材１０が前後に移動しないよう規制する規制手段の形態は特に限定されない。この実施形態では、図６（ａ）に示すように、嵌合溝２１の平行部２２の上方又は下方の少なくとも一方に係合部である凹部２ｂを形成している。そして、この凹部２ｂに嵌合できる被係合部としてのテーパ部１２ｄを軸部材１０のスリーブ１２のフランジ部１２ｂに形成している。フランジ部１２ｂの一部をテーパ部１２ｄとして形成してもよいし、フランジ部１２ｂから突出させた被係合部にテーパ部１２ｄを形成してもよい。テーパ部１２ｄの傾斜長さは、０．１ｍｍ〜０．２ｍｍ程度が目安となる。
軸部材１０を平行部２２に嵌め込んだ際に、テーパ部１２ｄが凹部２ｂに係合することで、軸部材１０の前後移動が規制される。
【００１９】
［ねじ無し蝶番の組立］
上記構成のテンプル２、智４及び軸部材１０は、以下の手順で組み立てることができる。
まず、スリーブ１２の本体部１２ａに智４の嵌合部４１を嵌め付ける。スリーブ１２は樹脂などの弾性変形する材料で形成されているので、フランジ部１２ｂの外周側から嵌合部４１を押し当ててフランジ部１２ｂを僅かに縮径させることで、智４の嵌合部４１がフランジ部１２ｂを乗り越えて本体部１２ａに外嵌される。
次に、智４を取り付けたスリーブ１２の貫通孔１２ｃにピン１１の胴部１１ａを嵌め込み、軸部材１０を組み立てる。
この後、ピン１１の上下に形成された突起１１ｂ，１１ｂ間の係合凹部１１ｃを、テンプル２の開口部２３ａの上下に嵌め込み、傾斜部２３から平行部２２へと軸部材１０を押し込む。
以上の手順により、智４に対して軸部材１０によってテンプル２を折り畳み自在に連結するねじ無し蝶番１の組み立てが完了する。
【００２０】
上記構成のねじ無し蝶番１によれば、簡単な構造でテンプルの上下方向の振
れを効果的に抑制できて、テンプルの開閉を安定して行え、かつ、溶接などを
行わなくても、テンプルが前後に振れたり、レンズ又はリムからテンプルが容易に外れてしまうことのない眼鏡のねじ無し丁番を得ることができる。
また、上記構成の軸部材１０においては、簡単に軸部材１０と智４とを連結することができ、かつ、強固な連結を得ることができるという利点がある。
【００２１】
［他の実施形態］
図７に本発明のねじ無し蝶番の他の実施形態を示す。なお、図７において先の実施形態と同一部位・同一部材には同一の符号を付して詳細な説明は省略する。
この実施形態のねじ無し蝶番１′では、テンプル２′の前端に平行溝２２′が形成され、この平行溝２２′の前端がテンプル２′の前端縁に開口している。
軸部材１０は、テンプル２′の前端縁の前記開口から平行溝２２′内に嵌め込まれるが、平行溝２２′の上下の内縁には、図６に示した凹部２ｂが形成されえていて、この凹部２ｂに軸部材１０のテーパ部１２ｄが係合することで、軸部材１０が平行溝２２′内で固定される。
この実施形態のねじ無し蝶番１′は、凹部２ｂにテーパ部１２ｄが係合するまで平行溝２２′に軸部材１０を押し込むだけでよく、組み立て容易であるという利点がある。
【００２２】
本発明の好適な実施形態について説明したが、本発明は上記の説明に限定されるものではない。
例えば、上記の説明では軸部材１０はチタン又はステンレスなどの金属で形成されたピン１１と、このピン１１に外嵌される樹脂製のスリーブ１２とから構成されるものとして説明したが、ピン１１及びスリーブ１２は両方ともチタン又はステンレスなどの金属又は樹脂で形成してもよく、また、軸部材１０は一体に形成されていてもよい。
【００２３】
また、上記の説明では、テンプル２，２′側に嵌合溝２１、２１′が形成され、智４側に環状の嵌合部４１が形成されているものとして説明したが、テンプル２，２′側に環状の嵌合部を形成し、智４側に嵌合溝を形成するようにしてもよい。
さらに、規制手段についても、テンプル２，２′側に突起状の係合部を形成し、軸部材１０側に凹状の被係合部を形成するものとしてもよい。
【図面の簡単な説明】
【００２４】
【図１】本発明のねじ無し蝶番の全体構成を説明する図で、ねじ無し蝶番の分拡大図である。
【図２】本発明のねじ無し蝶番が適用されるテンプルの先端部分の拡大図である。
【図３】図３（ａ）は、本発明のねじ無し蝶番が適用される智の先端部分の拡大図、（ｂ）は、（ａ）のＩ−Ｉ方向断面図である。
【図４】本発明のねじ無し蝶番を構成するピンの説明図にかかり、（ａ）はその正面図、（ｂ）はその側面図、（ｃ）はその平面図である。
【図５】本発明のねじ無し蝶番を構成するスリーブの説明図にかかり、（ａ）はその正面図、（ｂ）はその平面図である。
【図６】嵌合溝内における軸部材の前後移動を規制する規制手段の一例を示す部分拡大図である。
【図７】本発明のねじ無し蝶番の他の実施形態を示す図で、ねじ無し蝶番の分拡大図である。
【符号の説明】
【００２５】
１，１′  ねじ無し蝶番
１１      ピン
１１ａ    胴部
１１ｂ    突起
１１ｃ    係合凹部
１２      スリーブ
１２ａ    本体部
１２ｂ    フランジ部
１２ｃ    貫通孔
１２ｄ    テーパ部（被係合部）
２，２′  テンプル
２ａ      下側部分
２ｂ      凹部（係合部）
２１      嵌合溝
２２，２２′    平行部
２３      傾斜部
２３ａ    開口部
３        フロントフレーム
４        智
４１      嵌合部
【要約】
【課題】  簡単な構造でテンプルの上下方向の振れを効果的に抑制できて、テンプルの開閉を安定して行え、かつ、溶接などを行わなくてもレンズ又はリムからテンプルが容易に外れてしまうことのない眼鏡のねじ無し丁番を提供する。
【解決手段】  テンプル２の先端に形成された嵌合溝２２と、この嵌合溝２２に嵌め込まれる軸部材１０と、この軸部材１０に回転自在に取り付けられる智４とを有する眼鏡のねじ無し蝶番１において、嵌合溝２２は、板状のテンプル２の長手方向軸Ｃ１と同方向に延びる平行部２２を有し、平行部２２の上方又は下方の少なくとも一方に形成された係合部２ｂと、軸部材１０に形成された被係合部１２ｄとを有し、軸部材１０を平行部２２に嵌め込んだときに係合部２ｂと被係合部１２ｄとが係合することで、軸部材１０が嵌合溝２２内で移動しないように規制する規制手段を有する構成としてある。
【選択図】  図１【図１】
0006765698.tif 000002
【図２】
0006765698.tif 000003
【図３】
0006765698.tif 000004
【図４】
0006765698.tif 000005
【図５】
0006765698.tif 000006
【図６】
0006765698.tif 000007
【図７】
0006765698.tif 000008